(57)【要約】【課題】  滑り止めがよく、外観美に優れる手動ねじ廻し用精密ドライバを提供する。【解決手段】  ドライバヘッド５を先端に形成し軸部７と係止部８とを一体的に形成するドライバ軸体部１の軸部７には柔軟材の筒体２と金属管３とか嵌着され、係止部８には抜け止め用キャップ４が装着される。筒体２の外面にはローレット加工部１１が形成されているためねじ廻し時には滑りがなく、適度の重量感と高級感を有し、また、各部にコントラストのある色彩が施されているため外観美の向上が図れる。【選択図】  図１
0003129243.tif 000002
【実用新案登録請求の範囲】
【請求項１】
ねじの頭部の係止部にドライバヘッドを押圧しながら前記ドライバヘッドを手動で回転すべく形成される手動ねじ廻し用ドライバであって、該ドライバは、前記ドライバヘッドとこれに一体的に連結し横断面角状の細長の軸部とこの軸部の後端に一体的に形成される係止部とからなるドライバ軸体部と、該ドライバ軸体部の前記軸部に嵌入される柔軟材の筒体と、この筒体の後方において前記軸部に挿入される金属管と、前記係止部に軸線方向の移動を拘束されて回転可能に挿入され前記筒体と金属管との抜け出しを防止する抜け止めキャップとからなることを特徴とする手動ねじ廻し用精密ドライバ。
【請求項２】
前記筒体及び後方の抜け止めキャップは着色部材からなり、金属管は光沢を有するものから形成されることを特徴とする請求項１に記載の手動ねじ廻し用精密ドライバ。
【請求項３】
前記筒体がラバー状部材からなり、その外面に滑り止めを有するものからなることを特徴とする請求項１又は２に記載の手動ねじ廻し用精密ドライバ。
【考案の詳細な説明】
【技術分野】
【０００１】
本考案は、比較的小径で精密なねじを手動でねじ廻しするドライバに係り、回転時に滑りが少なく、外観部に優れる手動ねじ廻し用精密ドライバに関する。
【背景技術】
【０００２】
手動ねじ廻し用精密ドライバとしては各種の形態のものがあるが、公知技術としては図７や図８に示すものが挙げられる。また、機能としては相異するが、全体構造が似ている公知技術として「特許文献１」が挙げられる。
【特許文献１】特開２００５−９６０１９号（図１）
【考案の開示】
【考案が解決しようとする課題】
【０００３】
図７に示す手動ねじ廻し用精密ドライバ１００Ａは、ドライバヘッド５Ａと軸部７Ａ及び係止部８Ａとを一体的に形成した樹脂材からなるドライバ軸体部１Ａと、この係止部８Ａに回転可能に装着されるキャップ４Ａ等とからなり、ドライバ軸体部１Ａは黒色で、キャップ４Ａが赤色に着色され、美観を有するものにしたものである。簡便構造のものであるが作動時において滑りが生じ易く、かつ外観美においても特に優れるものではない。
【０００４】
図８に示す手動ねじ廻し用精密ドライバ１００Ｂはドライバヘッド５Ｂと軸部７Ｂと係止部８Ｂとを一体的に形成する金属製のドライバ軸体部１Ｂと、この係止部８Ｂに回転可能に装着されるキャップ４Ｂ等とからなり、基本的には図７のものとほぼ同様の構造のものからなる。但し、軸部７Ｂの外面には滑り止め加工がなされている。このものは図７のものより重厚感があり美観もあるが、全体として重く取扱性が悪く全体が真鍮材からなり、高コストのものとなる。
【０００５】
一方、公知技術の「特許文献１」の「特開２００５−９６０１９号」の「ドライバービットおよび電動ドライバ，手動ドライバー」はその図１に示すように、ビット軸部（２）と、これを被包する絶縁筒（３）と、ビット軸部（２）の後端に嵌着される駆動基端部（４）等とからなり、組み合わせ構造としては後に説明する本考案と似ている点もあるが、基本的に駆動基端部（４）を回転してビット軸部（１）を回転させてねじ廻しを行うものであり、絶縁筒（３）を回動させるものでなく、絶縁筒（３）は絶縁機能を果すために配設されるものである。また、美観を特に重視するものでない。
【０００６】
本考案は、以上の事情に鑑みて考案されたものであり、回転時に滑りがなく、手動ねじ廻し効率がよく、かつ外観美にも優れる手動ねじ廻し用精密ドライバを提供することを目的とする。
【課題を解決するための手段】
【０００７】
本考案は、以上の目的を達成するために、請求項１の考案は、ねじの頭部の係止部にドライバヘッドを押圧しながら前記ドライバヘッドを手動で回転すべく形成される手動ねじ廻し用精密ドライバであって、該ドライバは、前記ドライバヘッドとこれに一体的に連結し横断面角状の細長の軸部とこの軸部の後端に一体的に形成される係止部とからなるドライバ軸体部と、該ドライバ軸体部の前記軸部に嵌入される柔軟材の筒体と、この筒体の後方において前記軸部に挿入される金属管と、前記係止部に軸線方向の移動を拘束されて回転可能に挿入され前記筒体と金属管との抜け出しを防止する抜け止めキャップとからなることを特徴とする。
【０００８】
また、請求項２の考案は、前記筒体及び後方の抜け止めキャップは着色部材からなり、金属管は光沢を有するものから形成されることを特徴とする。
【０００９】
また、請求項３の考案は、前記筒体がラバー状部材からなり、その外面に滑り止め加工をするものからなることを特徴とする。
【考案の効果】
【００１０】
本考案の請求項１の手動ねじ廻し用精密ドライバによれば、一体的成形構造からなるドライバ軸体部に、柔軟材からなる筒体及び金属管を嵌入し、ドライバ軸体部の後端に抜け止めキャップを装着した組み立て式のものからなり、ねじ廻し時には主として筒体に指をかけて回転するものからなり、滑りが発生しにくくねじ廻し作業性の向上が図られる。また、金属管を部分的に使用することにより低コスト化が図れると共に適度の重量感を有し、全体がプラスチック製のものに較べて高級感が生ずるものである。
【００１１】
また、本考案の請求項２の手動ねじ廻し用精密ドライバによれば、筒体と抜け止めキャップの着色のものからなり、このコントラストにより外観美の一層の向上が図られる。また、金属管の外面を光沢にするため、美観の更に一層の向上が図られる。
【００１２】
また、本考案の請求項３の手動ねじ廻し用精密ドライバによれば、筒体がラバー材からなり、その外面にローレット等の滑り止めされているため、滑り止めの向上と美観の向上が図られる。
【考案を実施するための最良の形態】
【００１３】
以下、本考案の手動ねじ廻し用精密ドライバの実施の形態を図面を参照して詳述する。
図１は本考案の手動ねじ廻し用精密ドライバ１００の外観とその構成要素を示す平面図である。
手動ねじ廻し用精密ドライバ１００は、一体成型品のドライバ軸体部１と、この外面に嵌着される筒体２と、金属管３と、ドライバ軸体部１の後端に装着される抜け止めキャップ４等とからなる。以下これ等の構成要素の構造を説明する。
【００１４】
図２（ａ）は、ドライバ軸体部１の構造を示す。ドライバ軸体部１は、その先端側にねじの係止部に係着するドライバヘッド５と、これにテーパ部６を形成して連結される細長の軸部７と、軸部７の後端に形成される係止部８とからなる。ドライバヘッド５はその先端がプラスねじ又はマイナスねじは係着する刃部を形成する細長で小径の棒体からなる。テーパ部６はドライバヘッド５の後端から後方に向かってややゆるやかに拡径する形状のものからなり、このテーパ部６に連結する細長の軸部７はテーパ部６の後端の直径よりも小径で横断面が例えば図２（ｂ）に示すように六角状の角体からなる。また、後端の係止部８はその後部に可撓性の拡径係止部９を有するものからなる。なお、このドライバ軸体部１は本実施例では黒色のものからなるが勿論これに限定するものではない。また、軸部７は全体が六角状の角材でなくともよく、図２（ｃ），（ｄ）に示すように金属管３の挿入される部位は丸型断面でもよい。
【００１５】
図３は筒体２を示す。筒体２は例えば全体がラバー材の如き柔軟材からなり、中空体状の筒状体１０からなり外面には滑り止め用のローレット加工部１１が形成されている。なお、筒体２の内面はドライバ軸体部１の軸部７に嵌り込む六角状孔１２が形成される。また、本実施例における筒体２は黒色のものからなるが、勿論これに限定するものではない。
【００１６】
図４は金属管３を示す。図４（ａ）に示すように、金属管３は表面を光沢処置した中空筒体からなり、本実施例ではその外径寸法は筒体２よりも小径であるが、勿論これに限定するものではない。その内面には図２（ｃ）に示す丸形断面のドライバ軸体部１の軸部７に挿入される丸孔１３が形成される。また、この金属管３の後端面はドライバ軸体部１の軸部７の後端面とほぼ一致するように形成される。
【００１７】
図５は抜け止めキャップ４を示す。抜け止めキャップ４はドライバ軸体部１の軸部７の外径とほぼ同じ外径のストレート筒体１４とこの後端からゆるやかに拡径する鍔部１５からなり、その内部には小径孔部１６と大径孔部１７が段付状に形成される。この小径孔部１６は、ドライバ軸体部１の係止部８の拡径係止部９の自由状態における外径よりも小径のものからなり、大径孔部１７は拡径係止部９の自由状態における外径よりも大径のものからなる。
【００１８】
図６は以上の構造の抜け止め用キャップ４にドライバ軸体部１の係止部８が装着された状態を示すものである。即ち、抜け止め用キャップ４を係止部８に押し込むと、係止部８の拡径係止部９が縮径しながら小径孔部１６を通り、大径孔部１７に入って拡径し再び自由状態となる。以上により、抜け止め用キャップ４は回転が自由にできるが、軸線方向には抜け止めされ、結果として筒体２や金属管３の軸線方向への抜け出しを防止すべく機能する。なお、この抜け止め用キャップ４は着色され、その色彩は任意のものでよいが、全体としての美感向上に機能する色彩が望ましい。
【００１９】
図１に示した手動ねじ廻し用精密ドライバ１００を形成するには、まず、図２のドライバ軸体部１に図３の筒体２を嵌入し、更にその後方に金属管３を嵌入し、最後に抜け止め用キャップ４を係止部８に装着すればよい。
【００２０】
この手動ねじ廻し用精密ドライバ１００は、手の指で筒体２の軸部を把持し、抜け止め用キャップ４を手の平で押圧した状態で筒体２を回転させることによりドライバ軸体部１のドライバヘッド５を回転させて手動ねじ廻しを行うべく使用される。以上の動作において指が筒体２に当り、筒体２がラバーのような柔軟材からなり、ローレット加工部１１が形成されているため滑りにくく、円滑な回転が行われる。
【００２１】
本考案の手動ねじ廻し用精密ドライバ１００は、以上のような構造や色彩からなるが、勿論、以上の説明の内容に限定するものではなく、同一の技術的範疇のものが適用されることは勿論である。
【産業上の利用可能性】
【００２２】
本考案は、比較的精密な小ねじの手動ねじ廻し用に使用されるものであるが、その形状や大きさは任意のものであり、ドライバヘッドの形状も色々な形状のものが適用可能であり、その利用範囲は広い。
【図面の簡単な説明】
【００２３】
【図１】本考案の手動ねじ廻し用精密ドライバの全体構造を示す平面図。
【図２】本考案の手動ねじ廻し用精密ドライバのドライバ軸体部の構造を示す平面図（ａ）とそのＡ−Ａ線断面図（ｂ）、図２（ｃ）は金属管の挿入される部位が丸型にできているドライバ軸体部を示す平面図、図２（ｄ）は図２（ｃ）のＢ−Ｂ線断面図。
【図３】本考案の手動ねじ廻し用精密ドライバの筒体の構造を示す軸断面図（ａ）とそのＣ−Ｃ線断面図（ｂ）。
【図４】本考案の手動ねじ廻し用精密ドライバの金属管の構造を示す軸断面図（ａ）とそのＤ−Ｄ線断面図（ｂ）。
【図５】本考案の手動ねじ廻し用精密ドライバの抜け止め用キャップの構造を示す軸断面図。
【図６】本考案の手動ねじ廻し用精密ドライバの抜け止め用キャップとドライバ軸体部の係止部との係合状態を示す軸断面図。
【図７】従来の手動ねじ廻し用精密ドライバの一例を示す平面図。
【図８】従来の手動ねじ廻し用精密ドライバの他の実施例を示す平面図。
【符号の説明】
【００２４】
１      ドライバ軸体部
２      筒体
３      金属管
４      抜け止め用キャップ
５      ドライバヘッド
６      テーパ部
７      軸部
８      係止部
９      拡径係止部
１０    筒状体
１１    ローレット加工部
１２    六角状孔
１３    丸孔
１４    ストレート筒体
１５    鍔部
１６    小径孔部
１７    大径孔部
１００  手動ねじ廻し用精密ドライバ
【図１】
0003129243.tif 000003
【図２】
0003129243.tif 000004
【図３】
0003129243.tif 000005
【図４】
0003129243.tif 000006
【図５】
0003129243.tif 000007
【図６】
0003129243.tif 000008
【図７】
0003129243.tif 000009
【図８】
0003129243.tif 000010